(57)【要約】【課題】メーカの異なる複数のテレビ会議端末が混在しているテレビ会議システムの制御を容易化する。【解決手段】テレビ会議制御装置１００は、管理者端末と、複数のテレビ会議端末と、複数の参加者端末と、多地点通信制御装置とで構成されるテレビ会議システムを制御する。会議端末制御インタフェース部１７１は、管理者端末または参加者端末から遠隔操作情報を受信する。Ａ社端末制御部１７２Ａ等は、遠隔操作情報を各テレビ会議端末の受付可能な操作コマンドに変換して各テレビ会議端末に適合した通信プロトコルで送信する。また、Ａ社端末制御部１７２Ａ等は、各テレビ会議端末に適合した通信プロトコルで各テレビ会議端末から応答を受信し、受信した応答を管理者端末および各参加者端末が表示可能な情報に変換する。会議端末制御インタフェース部１７１は、管理者端末または参加者端末に変換された情報を送信する。【選択図】図３
2014165843.tif 000002
【特許請求の範囲】
【請求項１】
管理者端末と、遠隔操作のための通信プロトコルおよび操作コマンドが異なる複数のテレビ会議端末と、複数の参加者端末と、多地点通信制御装置とで構成されるテレビ会議システムを制御するテレビ会議制御装置であって、
前記各テレビ会議端末を遠隔操作するための遠隔操作情報を、前記管理者端末または前記各参加者端末から受信するテレビ会議端末遠隔操作情報受信手段と、
前記テレビ会議端末遠隔操作情報受信手段によって受信された遠隔操作情報を前記各テレビ会議端末の受付可能な操作コマンドに変換し、前記各テレビ会議端末に適合した通信プロトコルで当該操作コマンドを前記各テレビ会議端末に送信するテレビ会議端末操作コマンド送信手段と、
前記テレビ会議端末操作コマンド送信手段によって送信された操作コマンドに対する応答を前記各テレビ会議端末に適合した通信プロトコルで前記各テレビ会議端末から受信し、受信した当該応答を前記管理者端末および前記各参加者端末が表示可能な情報に変換するテレビ会議端末応答受信手段と、
前記管理者端末または前記各参加者端末に、前記テレビ会議端末応答受信手段によって変換された情報を送信するテレビ会議端末応答送信手段と、
を備えることを特徴とするテレビ会議制御装置。
【請求項２】
遠隔操作のための通信プロトコルおよび操作コマンドが異なる複数の前記多地点通信制御装置を有する前記テレビ会議システムを制御する請求項１に記載のテレビ会議制御装置であって、
前記各多地点通信制御装置を遠隔操作するための遠隔操作情報を、前記管理者端末または前記各参加者端末から受信する多地点通信制御装置遠隔操作情報受信手段と、
前記多地点通信制御装置遠隔操作情報受信手段によって受信された遠隔操作情報を前記各多地点通信制御装置の受付可能な操作コマンドに変換し、前記各多地点通信制御装置に適合した通信プロトコルで当該操作コマンドを送信する多地点通信制御装置操作コマンド送信手段と、
前記多地点通信制御装置操作コマンド送信手段によって送信された操作コマンドに対する応答を前記各多地点通信制御装置に適合した通信プロトコルで受信し、受信した当該応答を前記管理者端末および前記各参加者端末が表示可能な情報に変換する多地点通信制御装置応答受信手段と、
前記管理者端末または前記各参加者端末に、前記多地点通信制御装置応答受信手段によって変換された情報を送信する多地点通信制御装置応答送信手段と、
を備えることを特徴とするテレビ会議制御装置。
【発明の詳細な説明】
【技術分野】
【０００１】
本発明は、テレビ会議端末と多地点通信制御装置で構成されるテレビ会議システムを制御するテレビ会議制御装置に関する。
【背景技術】
【０００２】
テレビ会議システムは、ネットワークに接続されたＭＣＵ（Ｍｕｌｔｉｐｏｉｎｔ  Ｃｏｎｔｒｏｌ  Ｕｎｉｔ：多地点通信制御装置）と複数のテレビ会議端末とで構成される。テレビ会議の参加者は遠隔地にいながら臨場感の高い会議を行うことができる。
しかし、テレビ会議システムを利用するためには、通信プロトコルや映像および音声コーデック等を選択・設定し、複数のテレビ会議端末をＭＣＵに接続しなければならない。また、会議中におけるカメラやマイク等の操作は煩雑である。このため、テレビ会議システムに関する専門知識を持たない利用者がテレビ会議を円滑に行うのは困難である。
そこで、特許文献１は、利用者がテレビ会議システムを容易に制御することを可能とするテレビ会議実施制御装置を開示する。
【先行技術文献】
【特許文献】
【０００３】
【特許文献１】特開２００９−２５３６２５号公報
【発明の概要】
【発明が解決しようとする課題】
【０００４】
様々なメーカがテレビ会議端末やＭＣＵを製造・販売している。テレビ会議端末やＭＣＵがＨ．３２３やＳＩＰ（Ｓｅｓｓｉｏｎ  Ｉｎｉｔｉａｔｉｏｎ  Ｐｒｏｔｏｃｏｌ）等の標準の通信プロトコルに準拠している場合には、異なるメーカのものであっても映像データと音声データは相互に送受信可能である。
【０００５】
また、テレビ会議端末の中には他のテレビ会議端末のカメラやマイク等を遠隔操作したり、他のテレビ会議端末の動作条件を設定したりすることが可能なものがある。テレビ会議端末の使用法に習熟した参加者や議長が、他の参加者のテレビ会議端末を遠隔操作等することにより、テレビ会議を円滑に行うことができる。
しかし、このような遠隔操作等のための通信プロトコルは標準化されていない。テレビ会議端末の各メーカは遠隔操作等のための通信プロトコルとしてＨＴＴＰ（ＨｙｐｅｒＴｅｘｔ  Ｔｒａｎｓｆｅｒ  Ｐｒｏｔｏｃｏｌ）やＴｅｌｎｅｔ（Ｔｅｌｅｃｏｍｍｕｎｉｃａｔｉｏｎ  ｎｅｔｗｏｒｋ）等を自由に選択することができる。このため、メーカが異なると、テレビ会議端末間で遠隔操作等のための通信プロトコルが異なる場合がある。また、メーカが異なるとテレビ会議端末を遠隔操作等するための操作コマンドが異なる場合もある。このような場合、他のテレビ会議端末をコマンドレベルで遠隔操作等することは容易ではない。
【０００６】
更に、テレビ会議端末を操作するためのリモコンや操作画面はメーカ毎に独自のものが用いられている。このようにユーザインタフェースが異なると、複数のメーカ製のテレビ会議端末が混在したテレビ会議システムを操作することは容易ではない。
【０００７】
本発明の目的は、複数のメーカ製のテレビ会議端末が混在しているテレビ会議システムを容易に制御することができるテレビ会議制御装置を提供することである。
【課題を解決するための手段】
【０００８】
上述した課題を解決するために、本発明のテレビ会議制御装置は、
管理者端末と、遠隔操作のための通信プロトコルおよび操作コマンドが異なる複数のテレビ会議端末と、複数の参加者端末と、多地点通信制御装置とで構成されるテレビ会議システムを制御するテレビ会議制御装置であって、
前記各テレビ会議端末を遠隔操作するための遠隔操作情報を、前記管理者端末または前記各参加者端末から受信するテレビ会議端末遠隔操作情報受信手段と、
前記テレビ会議端末遠隔操作情報受信手段によって受信された遠隔操作情報を前記各テレビ会議端末の受付可能な操作コマンドに変換し、前記各テレビ会議端末に適合した通信プロトコルで当該操作コマンドを前記各テレビ会議端末に送信するテレビ会議端末操作コマンド送信手段と、
前記テレビ会議端末操作コマンド送信手段によって送信された操作コマンドに対する応答を前記各テレビ会議端末に適合した通信プロトコルで前記各テレビ会議端末から受信し、受信した当該応答を前記管理者端末および前記各参加者端末が表示可能な情報に変換するテレビ会議端末応答受信手段と、
前記管理者端末または前記各参加者端末に、前記テレビ会議端末応答受信手段によって変換された情報を送信するテレビ会議端末応答送信手段と、
を備えることを特徴とする。
【０００９】
好ましくは、本発明のテレビ会議制御装置は、
遠隔操作のための通信プロトコルおよび操作コマンドが異なる複数の前記多地点通信制御装置を有する前記テレビ会議システムを制御する請求項１に記載のテレビ会議制御装置であって、
前記各多地点通信制御装置を遠隔操作するための遠隔操作情報を、前記管理者端末または前記各参加者端末から受信する多地点通信制御装置遠隔操作情報受信手段と、
前記多地点通信制御装置遠隔操作情報受信手段によって受信された遠隔操作情報を前記各多地点通信制御装置の受付可能な操作コマンドに変換し、前記各多地点通信制御装置に適合した通信プロトコルで当該操作コマンドを送信する多地点通信制御装置操作コマンド送信手段と、
前記多地点通信制御装置操作コマンド送信手段によって送信された操作コマンドに対する応答を前記各多地点通信制御装置に適合した通信プロトコルで受信し、受信した当該応答を前記管理者端末および前記各参加者端末が表示可能な情報に変換する多地点通信制御装置応答受信手段と、
前記管理者端末または前記各参加者端末に、前記多地点通信制御装置応答受信手段によって変換された情報を送信する多地点通信制御装置応答送信手段と、
を備えることを特徴とする。
【発明の効果】
【００１０】
本発明によれば、複数のメーカ製のテレビ会議端末が混在しているテレビ会議システムを容易に制御することができる。
【図面の簡単な説明】
【００１１】
【図１】本発明の実施形態に係るテレビ会議制御装置を含むテレビ会議システムの構成の一例を示す図である。
【図２】本発明の実施形態に係るテレビ会議制御装置のハードウェアの構成の一例を示す図である。
【図３】本発明の実施形態に係るテレビ会議制御装置の機能ブロックの構成の一例を示す図である。
【図４】認証情報テーブルの構成の一例を示す図である。
【図５】スケジュール情報テーブルの構成の一例を示す図である。
【図６】会議端末情報テーブルの構成の一例を示す図である。
【図７】ＭＣＵ情報テーブルの構成の一例を示す図である。
【図８】管理者端末と各参加者端末のディスプレイに表示される会議端末操作画面の一例を示す図である。
【発明を実施するための形態】
【００１２】
以下、本発明の実施形態に係るテレビ会議制御装置について図面を参照しながら詳細に説明する。なお、実施形態を説明する全図において、共通の構成要素には同一の符号を付し、繰り返しの説明を省略する。
【００１３】
図１は、本発明の実施形態に係るテレビ会議制御装置を含むテレビ会議制御システムの構成の一例を示す。
テレビ会議システムは、本発明の実施形態に係るテレビ会議制御装置１００と、Ｘ社製ＭＣＵ２００Ｘと、Ｙ社製ＭＣＵ２００Ｙと、会議室Ａ３００Ａに設置されたＡ社製テレビ会議端末３０１Ａおよびタッチパネルディスプレイ３０２Ａと、会議室Ｂ３００Ｂに設置されたＢ社製テレビ会議端末３０１Ｂおよびスマートフォン３０３Ｂと、会議室Ｃ３００Ｃに設置されたＣ社製テレビ会議端末３０１Ｃ、スマートフォン３０３ＣおよびＷＡＰ（無線ＬＡＮアクセスポイント）３０４Ｃと、管理者端末４００と、携帯電話の無線基地局５００とで構成される。
テレビ会議制御装置１００と、Ｘ社製ＭＣＵ２００Ｘと、Ｙ社製ＭＣＵ２００Ｙと、Ａ社製テレビ会議端末３０１Ａと、タッチパネルディスプレイ３０２Ａと、Ｂ社製テレビ会議端末３０１Ｂと、スマートフォン３０３Ｂと、Ｃ社製テレビ会議端末３０１Ｃと、スマートフォン３０３Ｃと、管理者端末４００とはネットワーク６００に通信可能に接続されている。なお、会議室Ｂに置かれているスマートフォン３０３Ｂは基地局５００を介してネットワーク６００に接続され、会議室Ｃに置かれているスマートフォン３０３ＣはＷＡＰ３０４を介してネットワーク６００に接続されている。
管理者端末４００は、コンピュータであって、テレビ会議システムのオペレータ（管理者）によって使用される。管理者端末４００は、キーボードやマウス等の入力装置を用いて入力されるオペレータの操作を受け付ける。管理者端末４００は、ＵＲＬ（Ｕｎｉｆｏｒｍ  Ｒｅｓｏｕｒｃｅ  Ｌｏｃａｔｏｒ）で特定されるテレビ会議制御装置１００にオペレータの操作を送信する。
タッチパネルディスプレイ３０２Ａと、スマートフォン３０３Ｂと、スマートフォン３０３Ｃと（以下、参加者端末という。）は、テレビ会議の参加者による操作を受け付ける。参加者端末は、Ａ社製テレビ会議端末３０１Ａと、Ｂ社製テレビ会議端末３０１Ｂと、Ｃ社製テレビ会議端末３０１Ｃ（以下、テレビ会議端末という。）のカメラやマイク等を遠隔操作したり、動作条件を設定したりするために用いられる。各参加者端末は、ＵＲＬ（Ｕｎｉｆｏｒｍ  Ｒｅｓｏｕｒｃｅ  Ｌｏｃａｔｏｒ）で特定されるテレビ会議制御装置１００に参加者による操作を送信する。
以下では、テレビ会議端末のカメラやマイク等の遠隔操作と、テレビ会議端末の動作条件の設定とをまとめてテレビ会議端末の遠隔操作という。
【００１４】
Ａ社製テレビ会議端末３０１ＡとＢ社製テレビ会議端末３０１ＢとＣ社製テレビ会議端末３０１Ｃとは、それぞれＡ社とＢ社とＣ社によって製造されたものである。各テレビ会議端末は、ディスプレイ等の表示装置と、カメラと、スピーカと、マイクと、パーソナルコンピュータとを有する。
各テレビ会議端末は音声コーデックと映像コーデックとを備えており、映像データと音声データをＸ社製ＭＣＵ２００ＸまたはＹ社製ＭＣＵ２００Ｙの間でＨ．３２３やＳＩＰに準拠して送受信する。更に、これらは、ＭＣＵを介さずに相互に直接映像データと音声データを送受信し、テレビ会議を行うことも可能である。
ここで、Ａ社製テレビ会議端末３０１Ａは、ＨＴＴＰに準拠して他のテレビ会議端末を遠隔操作するための通信（以下、遠隔操作のための通信という。）を行う。Ｂ社製テレビ会議端末３０１ＢとＣ社製テレビ会議端末３０１Ｃは、Ｔｅｌｎｅｔに準拠して遠隔操作のための通信を行う。また、Ａ社製テレビ会議端末３０１ＡとＢ社製テレビ会議端末３０１ＢとＣ社製テレビ会議端末３０１Ｃとを遠隔操作するための操作コマンドはそれぞれ異なる。このため、Ａ社製テレビ会議端末３０１Ａと、Ｂ社製テレビ会議端末３０１ＢまたはＣ社製テレビ会議端末３０１Ｃとは遠隔操作のための通信を行うことができない。
【００１５】
Ｘ社製ＭＣＵ２００ＸとＹ社製ＭＣＵ２００Ｙと（以下、ＭＣＵという。）は、それぞれＸ社とＹ社とによって製造されたものである。各ＭＣＵは、Ａ社製テレビ会議端末３０１ＡとＢ社製テレビ会議端末３０１ＢとＣ社製テレビ会議端末３０１Ｃとから送信された映像を合成し、音声を混合して、Ａ社製テレビ会議端末３０１ＡとＢ社製テレビ会議端末３０１ＢとＣ社製テレビ会議端末３０１Ｃとに送信する。
Ｘ社製ＭＣＵ２００ＸはＴｅｌｎｅｔに準拠して遠隔操作のための通信を行う。Ｙ社製ＭＣＵ２００ＹはＸＭＬ−ＲＰＣに準拠して遠隔操作のための通信を行う。また、Ｘ社製ＭＣＵ２００ＸとＹ社製ＭＣＵ２００Ｙとを遠隔操作するための操作コマンドは異なる。
なお、ＭＣＵはテレビ会議端末に内蔵されたものであってもよい。
【００１６】
テレビ会議制御装置１００は、詳細は後述するが、管理者端末４００と各参加者端末から送信されるオペレータやテレビ会議の参加者による操作を受け付けて、テレビ会議の予約、テレビ会議の開始と終了、各テレビ会議端末の遠隔操作、オペレータやテレビ会議の参加者へのテレビ会議の状態の提示等を実行する。なお、テレビ会議制御装置１００は、Ｗｅｂサーバの機能を備えており、管理者端末４００と各参加者端末で動作するＷｅｂブラウザに各種の操作画面を表示させることができる。
【００１７】
図２は、本発明の実施形態に係るテレビ会議制御装置１００のハードウェアの構成の一例を示す。また、図３は、本発明の実施形態に係るテレビ会議制御装置１００の機能ブロックの構成の一例を示す。
テレビ会議制御装置１００は、コンピュータであって、ＣＰＵ（Ｃｅｎｔｒａｌ  Ｐｒｏｃｅｓｓｉｎｇ  Ｕｎｉｔ）１０１と、ＲＡＭ（Ｒａｎｄｏｍ  Ａｃｃｅｓｓ  Ｍｅｍｏｒｙ）等で構成されるメモリ１０２と、ハードディスク等で構成される記憶装置１０３とを有する。
記憶装置１０３には、テレビ会議制御プログラム１１０と、認証情報テーブル１１１と、スケジュール情報テーブル１１２と、会議端末情報テーブル１１３と、ＭＣＵ情報テーブル１１４とが記憶されている。ＣＰＵ１０１がテレビ会議制御プログラム１１０を記憶装置１０３からメモリ１０２に読み込んで実行することにより、ユーザ認証部１２０と、スケジュール管理部１３０と、会議管理部１４０と、会議端末管理部１５０と、ＭＣＵ管理部１６０と、会議端末制御部１７０と、ＭＣＵ制御部１８０との各部の機能が実現される。
【００１８】
図４は、認証情報テーブル１１１の構成の一例を示す。
認証情報テーブル１１１には、ユーザＩＤ（Ｉｄｅｎｔｉｆｉｅｒ）と、パスワードと、ユーザの権限とを含む認証情報が格納される。
ユーザＩＤは、個々のユーザを一意に識別するための符号である。ユーザ認証部１２０は、ユーザＩＤとパスワードにより、テレビ会議制御装置１００にログインしようとするユーザの正当性を認証する。
ユーザの権限は、少なくともオペレータと参加者の２種類がある。
【００１９】
図５は、スケジュール情報テーブル１１２の構成の一例を示す。
スケジュール情報テーブル１１２には、スケジュールＩＤと、会議名称と、ＭＣＵＩＤと、会議端末ＩＤと、開始予定日付時刻と、終了予定日付時刻とを含むスケジュール情報が格納される。
スケジュールＩＤは、開催予定の各会議を一意に識別するための符号である。
会議名称は、各会議の名前である。ＭＣＵＩＤは、各ＭＣＵを一意に識別するための符号である。ＭＣＵＩＤは、後述するＭＣＵ情報テーブル１１４を検索するキーとして使用される。会議名称とＭＣＵＩＤによって、各会議がＭＣＵに対応づけられる。なお、複数の会議を同一のＭＣＵに対応づけてもよい。
会議端末ＩＤは、各テレビ会議端末を一意に識別するための符号である。個々の会議室で行われるテレビ会議に接続される全てのテレビ会議端末の会議端末ＩＤが格納される。会議端末ＩＤは、後述する会議端末情報テーブル１１３を検索するキーとして使われる。
開始予定日付時刻と終了予定日付時刻は、それぞれテレビ会議を開始する予定の日付および時刻と、終了する予定の日付および時刻である。
【００２０】
図６は、会議端末情報テーブル１１３の構成の一例を示す。
会議端末情報テーブル１１３には、会議端末ＩＤと、会議端末名称と、会議端末ＩＰアドレスと、ログインＩＤと、パスワードとを含む会議端末情報が格納される。
会議端末ＩＤは、各テレビ会議端末を一意に識別するための符号である。
会議端末名称は、各テレビ会議端末を製造したメーカによって付けられたテレビ会議端末の名前である。
会議端末ＩＰアドレスは、各テレビ会議端末のＩＰアドレスである。
ログインＩＤとパスワードは、テレビ会議制御装置１００が遠隔操作のために各テレビ会議端末にログインするときに使用するＩＤとパスワードである。
【００２１】
図７は、ＭＣＵ情報テーブル１１４の構成の一例を示す。
ＭＣＵ情報テーブル１１４には、ＭＣＵＩＤと、ＭＣＵ名称と、ＩＰアドレスと、ログインＩＤと、パスワードとを含むＭＣＵ情報が格納される。
ＭＣＵＩＤは、各ＭＣＵを一意に識別するための符号である。
ＭＣＵ名称は、各ＭＣＵを製造したメーカによって付けられたＭＣＵの名前である。
ＩＰアドレスは、各ＭＣＵのＩＰアドレスである。
ログインＩＤとパスワードは、テレビ会議制御装置１００が遠隔からＭＣＵの動作条件を設定するために各ＭＣＵにログインするときに使用するＩＤとパスワードである。以下では、遠隔からＭＣＵの動作条件を設定することをＭＣＵの遠隔操作という。
【００２２】
以下、図３に示すテレビ会議制御装置１００の各部の機能について説明する。
ユーザ認証部１２０は、管理者端末４００または参加者端末から送信されるユーザＩＤとパスワードを受け付け、認証情報テーブル１１１に格納されている認証情報に基づいてログインしようとするユーザの権限を判定する。
【００２３】
スケジュール管理部１３０は、オペレータまたは参加者によって入力されたテレビ会議のスケジュール情報をスケジュール情報テーブル１１２に登録する。また、スケジュール管理部１３０は、管理者端末４００または参加者端末から送信されるオペレータまたは参加者の操作を受け付けて、スケジュール情報の更新、取消、および検索を行うことができる。
【００２４】
会議管理部１４０は、スケジュール情報テーブル１１２に格納されているスケジュール情報に登録されているテレビ会議の開始予定の日付時刻になると、会議端末情報テーブル１１３に格納されている会議端末情報と、ＭＣＵ情報テーブル１１４に格納されているＭＣＵ情報とを参照してＭＣＵに各テレビ会議端末を接続してテレビ会議を開始する。そして、会議管理部１４０は、テレビ会議が開催されている間、スケジュール情報と会議端末情報を参照して、テレビ会議端末の接続状況等を含むテレビ会議の状態を管理者端末４００および各参加者端末に送信する。また、会議管理部１４０は、スケジュール情報に登録されているテレビ会議の終了予定の日付時刻になると、ＭＣＵと各テレビ会議端末の電源をオフして会議を終了する。
【００２５】
会議端末管理部１５０は、オペレータまたは会議参加者によって入力された会議端末情報を会議端末情報テーブル１１３に登録する。また、会議端末管理部１５０は、管理者端末４００または参加者端末から送信されるオペレータまたは参加者の操作を受け付けて、登録された会議端末情報の更新、取消、および検索を行うことができる。
【００２６】
ＭＣＵ管理部１６０は、オペレータまたは会議参加者によって入力されたＭＣＵ情報をＭＣＵ情報テーブル１１４に登録する。また、ＭＣＵ管理部１６０は、管理者端末４００または参加者端末から送信されるオペレータまたは参加者の操作を受け付けて、登録されたＭＣＵ情報の更新、取消、および検索を行うことができる。
【００２７】
会議端末制御部１７０は、会議端末制御インタフェース部１７１と、Ａ社端末制御部１７２Ａと、Ｂ社端末制御部１７２Ｂと、Ｃ社端末制御部１７２Ｃとを含む。
会議端末制御インタフェース部１７１は、管理者端末４００と各参加者端末に後述する会議端末操作画面を表示させる。オペレータまたは参加者が会議端末操作画面上でテレビ会議端末の遠隔操作のための遠隔操作情報を入力すると、管理者端末４００または参加者端末は遠隔操作情報を会議端末制御装置１００に送信する。
会議端末制御インタフェース部１７１は、管理者端末４００または参加者端末から送信される遠隔操作情報を受信する。遠隔操作情報は、例えば会議端末のＩＰアドレスを含む。
会議端末制御インタフェース部１７１は、会議端末のＩＰアドレスにより、会議端末情報テーブル１１３から会議端末名称を検索し、会議端末名称に基づいてＡ社端末制御部１７２ＡとＢ社端末制御部１７２ＢとＣ社端末制御部１７２Ｃとのいずれかを選択し、受信した遠隔操作情報を選択したものに渡す。
Ａ社端末制御部１７２Ａは、会議端末制御インタフェース部１７１から受け取った遠隔操作情報をＡ社製テレビ会議端末３０１Ａの受付可能な操作コマンドに変換し、ＨＴＴＰに準拠して操作コマンドをＡ社製テレビ会議端末３０１Ａに送信する。そして、Ａ社端末制御部１７２Ａは、ＨＴＴＰに準拠してＡ社製テレビ会議端末３０１Ａから操作コマンドに対する応答を受信し、受信した応答を管理者端末４００および参加者端末が表示可能な情報に変換して会議端末制御インタフェース部１７１に渡す。
Ｂ社端末制御部１７２ＢおよびＣ社端末制御部１７２Ｃも、同様に、会議端末制御インタフェース部１７１から受け取った遠隔操作情報をそれぞれＢ社製テレビ会議端末３０１ＢおよびＣ社製テレビ会議端末３０１Ｃの受付可能な操作コマンドに変換し、Ｔｅｌｎｅｔに準拠してＢ社製テレビ会議端末３０１ＢおよびＣ社製テレビ会議端末３０１Ｃに操作コマンドを送信する。そして、Ｂ社端末制御部１７２ＢおよびＣ社端末制御部１７２Ｃは、Ｔｅｌｎｅｔに準拠してＢ社製テレビ会議端末３０１ＢおよびＣ社製テレビ会議端末３０１Ｃから応答を受信し、受信した応答を管理者端末４００および各参加者端末が表示可能な情報に変換して会議端末制御インタフェース部１７１に渡す。
会議端末制御インタフェース部１７１は、Ａ社端末制御部１７２Ａ、Ｂ社端末制御部１７２Ｂ、またはＣ社端末制御部１７２Ｃから変換された情報を受け取って管理者端末４００または参加者端末に送信する。
管理者端末４００または参加者端末は、遠隔操作に対する応答をディスプレイに表示する。
【００２８】
ＭＣＵ制御部１８０は、ＭＣＵ制御インタフェース部１８１と、Ｘ社ＭＣＵ制御部１８２Ｘと、Ｙ社ＭＣＵ制御部１８２Ｙとを含む。
ＭＣＵ制御インタフェース部１８１は、管理者端末４００と各参加者端末に後述するＭＣＵ操作画面を表示させる。オペレータまたは参加者がＭＣＵ操作画面上でＭＣＵの遠隔操作のための遠隔操作情報を入力すると、管理者端末４００または参加者端末は遠隔操作情報を会議端末制御装置１００に送信する。
ＭＣＵ制御インタフェース部１８１は、管理者端末４００または参加者端末から送信されるＭＣＵの遠隔操作のための遠隔操作情報を受信する。遠隔操作情報は、例えばＭＣＵのＩＰアドレスを含む。ＭＣＵ制御インタフェース部１７１は、ＭＣＵのＩＰアドレスにより、ＭＣＵ情報テーブル１１４からＭＣＵ名称を検索し、ＭＣＵ名称に基づいてＸ社ＭＣＵ制御部１８２ＸまたはＹ社ＭＣＵ制御部１８２Ｙを選択し、受信した遠隔操作情報を選択したものに渡す。
Ｘ社ＭＣＵ制御部１８２Ｘは、ＭＣＵ制御インタフェース部１８１から受け取った遠隔操作情報をＸ社製ＭＣＵ２００Ｘの受付可能な操作コマンドに変換し、Ｔｅｌｎｅｔに準拠してＸ社製ＭＣＵ２００Ｘに送信する。そして、Ｘ社ＭＣＵ制御部１８２Ｘは、Ｔｅｌｎｅｔに準拠してＸ社製ＭＣＵ２００Ｘから操作コマンドに対する応答を受信し、受信した応答を管理者端末４００および各参加者端末が表示可能な情報に変換してＭＣＵ制御インタフェース部１８１に渡す。
Ｙ社ＭＣＵ制御部１８２Ｙも、同様に、ＭＣＵ制御インタフェース部１８１から受け取った遠隔操作情報をＹ社製ＭＣＵ２００Ｙの受付可能な操作コマンドに変換し、ＸＭＬ−ＲＰＣに準拠してＹ社製ＭＣＵ２００Ｙに送信する。そして、Ｙ社ＭＣＵ制御部１８２Ｙは、ＸＭＬ−ＲＰＣに準拠してＹ社製ＭＣＵ２００Ｙから操作コマンドに対する応答を受信し、管理者端末４００および各参加者端末が表示可能な情報に変換してＭＣＵ制御インタフェース部１８１に渡す。
ＭＣＵ制御インタフェース部１８１は、Ｘ社ＭＣＵ制御部１８２ＸまたはＹ社ＭＣＵ制御部１８２Ｙから変換された情報を受け取って管理者端末４００または参加者端末に送信する。
管理者端末４００または参加者端末は、遠隔操作に対する応答をディスプレイに表示する。
【００２９】
図８は、管理者端末４００と各参加者端末のディスプレイに表示される会議端末操作画面７００の一例を示す。
会議端末操作画面７００は、テレビ会議端末の遠隔操作情報を入力するための画面である。会議端末操作画面７００は、会議端末制御インタフェース部１７１が管理者端末４００と各参加者端末に表示させる。会議端末操作画面７００上で入力された遠隔操作情報は管理者端末４００または参加者端末からテレビ会議制御装置１００に送信され、会議端末制御インタフェース部１７１に渡される。
会議端末操作画面７００は、会議室表示ボックス７０１と、会議端末表示ボックス７０２Ａと、端末状態表示ボックス７０２Ｂと、端末一覧表示画面７０３と、遠隔操作画面７０４と、全て接続ボタン７０５Ａと、全て切断ボタン７０５Ｂと、個別接続ボタン７０６Ａと、個別切断ボタン７０６Ｂと、会議端末追加ボタン７０７と、会議室選択ボタン７０８とを含む。
会議室表示ボックス７０１には、会議を特定する会議室特定情報が表示される。会議室特定情報とは、例えば、会議室のＵＲＬである。会議室特定情報によって特定される会議には、スケジュール情報テーブル１１２に格納されたスケジュール情報によってＭＣＵが対応づけられている。以下、会議室特定情報によって特定される会議に対応づけられたＭＣＵを会議室ＭＣＵという。
会議端末表示ボックス７０２Ａには、遠隔操作画面７０４を用いて遠隔操作等を行うことが可能なテレビ会議端末を特定する会議端末特定情報が表示される。会議端末特定情報とは、例えば、会議端末名称とＩＰアドレスである。以下、会議端末表示ボックス７０２Ａに表示されている会議端末特定情報によって特定されるテレビ会議端末を操作対象テレビ会議端末という。
端末状態表示ボックス７０２Ｂには、操作対象テレビ会議端末の接続状態が表示される。接続状態は、例えば、呼出中、接続中、接続失敗等である。ここで、呼出中とは、会議室ＭＣＵにテレビ会議端末の接続を試みる前の状態を意味する。接続中とは、会議室ＭＣＵにテレビ会議端末が接続された状態を意味する。接続失敗とは、会議室ＭＣＵにテレビ会議端末の接続を試みたが、接続に失敗した状態を意味する。
【００３０】
端末一覧表示画面７０３には、会議室ＭＣＵに接続済み、および接続予定のテレビ会議端末の一覧が表示される。テレビ会議端末一覧には、個々のテレビ会議端末について名称、ＩＰアドレス、および接続状態の表示が含まれる。オペレータまたは参加者がマウス等によってテレビ会議端末一覧に含まれるテレビ会議端末の一つを選択すると、選択されたテレビ会議端末が遠隔操作画面７０４を用いて遠隔操作を行うことが可能なテレビ会議端末となり、そのテレビ会議端末を特定する会議端末特定情報が会議端末表示ボックス７０２Ａに表示される。
遠隔操作画面７０４は、オペレータまたは参加者が操作対象テレビ会議端末に対する操作を入力するための画面である。例えば、カメラについて、撮影方向の変更、ズームイン・ズームアウト、および所定の撮影条件の設定（カメラプリセット）が操作可能である。また、スピーカの音量調整、マイクのミュートを操作可能である。プルダウンメニューによりＨＤカメラ、パソコン画面、ＤＶＤ等を選択して、入力を切り替える操作が可能である。レイアウト切替ボタンを選択すると、操作対象テレビ会議端末のディスプレイの表示が切り換わる。
【００３１】
全て接続ボタン７０５Ａは、端末一覧表示画面７０３に表示されているテレビ会議端末を全て会議室ＭＣＵに接続することを指示するボタンである。全て切断ボタン７０５Ｂは、端末一覧表示画面７０３に表示されているテレビ会議端末を全て会議室ＭＣＵから切断することを指示するボタンである。
個別接続ボタン７０６Ａは、操作対象テレビ会議端末を会議室ＭＣＵに接続することを指示するボタンである。個別切断ボタン７０６Ｂは、操作対象テレビ会議端末を会議室ＭＣＵから切断することを指示するボタンである。
会議端末追加ボタン７０７は、端末一覧表示画面７０３に表示されているテレビ会議端末の一覧に新たなテレビ会議端末を追加するためのボタンである。会議端末追加ボタン７０７を選択すると、会議端末情報テーブル１１３に登録されているテレビ会議端末の一覧が表示され、オペレータまたは参加者はその中から新たに追加するテレビ会議端末を選択することができる。
会議室選択ボタン７０８は、会議室選択画面に遷移するためのボタンである。
【００３２】
同様に、ＭＣＵ制御インタフェース部１８１は、ＭＣＵの遠隔操作情報を入力するためのＭＣＵ操作画面を管理者端末４００と各参加者端末に表示させる。ＭＣＵ操作画面上で入力された遠隔操作情報は管理者端末４００または参加者端末からテレビ会議制御装置１００に送信され、ＭＣＵ制御インタフェース部１８１に渡される。
【００３３】
以上説明したように、テレビ会議制御装置１００は、管理者端末４００と各参加者端末から送信されるテレビ会議端末とＭＣＵの遠隔操作情報を個々のテレビ会議端末とＭＣＵの操作コマンドに変換し、個々のテレビ会議端末とＭＣＵに適合した通信プロトコルで送信する。また、テレビ会議制御装置１００は、個々のテレビ会議端末とＭＣＵからの応答を個々のテレビ会議端末とＭＣＵに適合した通信プロトコルで受信し、表示可能な情報に変換して管理者端末４００と各参加者端末に送信する。
さらに、テレビ会議制御装置１００は、管理者端末４００と参加者端末に、メーカによらず共通の会議端末操作画面とＭＣＵ操作画面を表示して遠隔操作情報を受け付ける。
このため、本発明によれば、複数のメーカ製のテレビ会議端末が混在しているテレビ会議システムを容易に制御することができる。また、本発明によれば、複数のメーカ製のＭＣＵが混在しているテレビ会議システムを容易に制御することができる。
【００３４】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれるものとする。
【符号の説明】
【００３５】
１００…テレビ会議制御装置、１０１…ＣＰＵ、１０２…メモリ、１０３…記憶装置、１１０…テレビ会議制御プログラム、１１１…認証情報テーブル、１１２…スケジュール情報テーブル、１１３…会議端末情報テーブル、１１４…ＭＣＵ情報テーブル、１２０…ユーザ認証部、１３０…スケジュール管理部、１４０…会議管理部、１５０…会議端末管理部、１６０…ＭＣＵ管理部、１７０…会議端末制御部、１７１…会議端末制御インタフェース部、１７２Ａ…Ａ社端末制御部、１７２Ｂ…Ｂ社端末制御部、１７２Ｃ…Ｃ社端末制御部、１８０…ＭＣＵ制御部、１８１…ＭＣＵ制御インタフェース部、１８２Ｘ…Ｘ社ＭＣＵ制御部、１８２Ｙ…Ｙ社ＭＣＵ制御部、２００Ｘ…Ｘ社製ＭＣＵ、２００Ｙ…Ｙ社製ＭＣＵ、３００Ａ…会議室Ａ、３０１Ａ…Ａ社製テレビ会議端末、３０２Ａ…タッチパネルディスプレイ、３００Ｂ…会議室Ｂ、３０１Ｂ…Ｂ社製テレビ会議端末、３０３Ｂ…スマートフォン、３００Ｃ…会議室Ｃ、３０１Ｃ…Ｃ社製テレビ会議端末、３０３Ｃ…スマートフォン、３０４Ｃ…無線ＬＡＮアクセスポイント、４００…管理者端末、５００…携帯電話の無線基地局５００、６００…ネットワーク
【図１】
2014165843.tif 000003
【図２】
2014165843.tif 000004
【図３】
2014165843.tif 000005
【図４】
2014165843.tif 000006
【図５】
2014165843.tif 000007
【図６】
2014165843.tif 000008
【図７】
2014165843.tif 000009
【図８】
2014165843.tif 000010